(57)【要約】【課題】記録メディア内の撮像ファイルに対し、撮像位置と共に一覧表示をする際にかかる時間を短縮すること。【解決手段】制御部１０５と、表示部１０８とを備え、撮像ファイルの記録時に撮像位置の緯度と経度をエントリ名に挿入し、また、撮像位置を伴う撮像ファイルの一覧表示時に撮像位置をエントリ名から取得する。これにより、制御部１０５は各撮像ファイルを構成するデータを解析せずとも位置情報の取得が可能となるので、撮像ファイルに対し撮像位置を伴う一覧表示をする際にかかる時間を短縮できる。【選択図】図１
2011259343.tif 000002
【特許請求の範囲】
【請求項１】
記録メディアに対して撮像画像を記録した撮像ファイルを記録し、記録メディアから撮像ファイルを読み出す撮像再生装置において、撮像画像を処理する画像処理部と、各処理部及びメモリを制御する制御部と、ＧＰＳ情報を取得するＧＰＳ情報取得部と、撮像画像を記録する記録メディアと、撮像画像または記録メディア内の撮像ファイルから読み出した撮像画像及び関連情報を表示する表示部を備えた撮像再生装置。
【請求項２】
前記制御部は、前記ＧＰＳ情報取得部が取得した撮像位置を示す緯度と経度を元に、記録メディア内のエントリの名前を生成する手段を備えた請求項１に記載の撮像再生装置。
【請求項３】
前記制御部は、前記記録メディア上に記録されている撮像ファイルを撮像位置と共に一覧表示する際、前記ＦＡＴファイルシステムによるディレクトリエントリの名前を元に一覧表示する手段を備えた請求項１に記載の撮像再生装置。
【発明の詳細な説明】
【技術分野】
【０００１】
本発明は、ディジタルカメラ等の撮像機器、ディジタルテレビ等の再生器機、及び撮像ファイルの保存方法、再生方法に関するものである。
【背景技術】
【０００２】
近年、ディジタルスチルカメラ（以下ＤＳＣ）やディジタルビデオカムコーダ（以下ＤＶＣ）において、グローバルポジショニングシステム（以下ＧＰＳ）を用いて撮像位置を特定し、撮像ファイルを記録メディアに記録する際、その位置情報を、ディジタルスチルカメラ用撮像ファイルフォーマット規格（以下Ｅｘｉｆ規格）が定めるＧＰＳに関する付属情報（以下ＧＰＳタグ）に保存するものが見られる。これにより、撮像位置が撮像データと共に撮像ファイル内に記録され、ファイルの再生時には、これらの撮像位置を様々なアプリケーション用途に展開することができる利点が生まれた。
【先行技術文献】
【非特許文献】
【０００３】
【非特許文献１】電子情報技術産業協会規格 ディジタルスチルカメラ用撮像ファイルフォーマット規格Ｅｘｉｆ２．２、２００２年４月制定
【発明の概要】
【発明が解決しようとする課題】
【０００４】
しかしながら、従来の撮像再生装置では、撮像ファイルの再生時に撮像位置を特定する際、ＧＰＳタグを取得する為に個々のファイルが持つデータを解析しなくてはならず、特定に時間がかかる課題を有していた。図２、図３のＢを用いて、従来の撮像再生装置における、記録メディアに記録されている撮像ファイルから撮像位置を取得するシーケンスを説明する。
【０００５】
従来の撮像再生装置は、図３のＢにおいて、ステップＢ１により、記録メディアのファイルシステムを図２の２０１に示すＦＡＴ１６と見なし、ルートディレクトリ領域またはデータ領域からディレクトリエントリをひとつ取得する。どちらの領域から取得するかは、ファイルがルートディレクトリ直下に存在するかどうかに依存する。次にステップＢ２により、取得したディレクトリエントリにおける属性を参照する。
【０００６】
属性がディレクトリを示す場合、ステップＢ１に戻り、再度ルートディレクトリ領域またはデータ領域から他のディレクトリエントリをひとつ取得する。属性がディレクトリを示さない場合、ステップＢ３に進み、取得したディレクトリエントリにおける開始クラスタ番号を参照する。
【０００７】
ディレクトリを示さないディレクトリエントリにおける開始クラスタ番号は、ファイルの先頭が存在する、記録メディア内の物理容量の位置を表す。次にステップＢ４により、参照したクラスタ番号に対応する領域を検索する。次にステップＢ５により、検索した領域にＧＰＳタグが存在するかを調べる。ＧＰＳタグが存在する場合、ステップＢ６に進み、ＧＰＳタグから撮像位置の緯度と経度を取得し、処理を終了する。
【０００８】
ＧＰＳタグが存在しない場合、ステップＢ７に進み、図２のクラスタチェーン２０２から、検索したクラスタ上のデータに続くデータが存在するクラスタの番号（次のクラスタ番号）を取得し、その後、ステップＢ４に戻り、同様の処理を繰り返す。図２の２０６に、この様にして検索される撮像ファイルの構成例を示す。例では、撮像ファイルは離散して存在するクラスタａ、クラスタｂ、クラスタｃ、クラスタｄ上のデータ等から構成され、このうちクラスタｄ上にＧＰＳタグ２０７が存在する。
【０００９】
この様に、クラスタの離散度合いも、位置情報の取得時間に影響を与える。ここで例えば、記録メディアのひとつであるセキュアディジタルカード（以下ＳＤカード（登録商標））を例に取ると、ＳＤ−Ｐｉｃｔｕｒｅ規格（ＳＤ Ｃａｒｄ Ａｓｏｃｉａｔｉｏｎによる規定）では、一枚のＳＤカードにつき９９９９ｘ９００個のエントリ（ディレクトリまたはファイル）を含むファイルシステム構成を許している。仮にひとつの撮像ファイルに対しＧＰＳタグ取得に０．０５ミリ秒を要する再生装置であれば、全ての撮像ファイルに対するＧＰＳタグ取得には最大７分強を要し、アプリケーションとしての使い勝手が低下する。
【００１０】
本発明は、前記従来の課題を解決するもので、記録メディア内の撮像ファイルに対し、その撮像位置の取得を短時間で行うことを可能にする撮像再生装置を提供することを目的とする。
【課題を解決するための手段】
【００１１】
前記従来の課題を解決するために、本発明の撮像再生装置は、撮像画像を処理する画像処理部と、各処理部及びメモリを制御する制御部と、ＧＰＳ情報を取得するＧＰＳ情報取得部と、撮像画像を保存した撮像ファイルを記録する記録メディアと、生成した撮像画像または記録メディアから読み出した撮像画像及び関連情報を表示する表示部を有し、前記制御部は、前記ＧＰＳ情報取得部が生成した撮像位置を示す緯度と経度を元に、記録メディア内のディレクトリまたは撮像ファイルの名前を生成する。また前記制御部は、前記記録メディア上に記録されている撮像ファイルに対し、これらを撮像位置と共に前記表示部に一覧表示する際、その撮像位置をディレクトリまたは撮像ファイルの名前から取得する。
【００１２】
本構成によって、記録メディア内の撮像ファイルに対し、その撮像位置の取得を短時間で行うことができる。
【発明の効果】
【００１３】
本発明の撮像再生装置によれば、撮像ファイルが記録されている記録メディアに対し、それらの撮像ファイルを撮像位置と共に一覧表示する際、撮像位置をＧＰＳタグからではなく記録メディア内のディレクトリまたは撮像ファイルの名前から取得することで、一覧表示までの時間を短縮することができる。
【図面の簡単な説明】
【００１４】
【図１】本発明の撮像再生装置のブロック図
【図２】本発明の撮像再生装置、及び従来の機器が記録メディアにデータを記録する際に使用するＦＡＴファイルシステムの構成図
【図３Ａ】本発明の撮像再生装置の撮像再生装置における、撮像ファイルから撮像位置を取得するためのフローチャート
【図３Ｂ】従来の撮像再生装置の撮像再生装置における、撮像ファイルから撮像位置を取得するためのフローチャート
【図４】本発明の撮像再生装置が生成するディレクトリ名の構成を示す図
【図５Ａ】本発明の撮像再生装置が記録または再生の対象とする記録メディアにおけるエントリの構成例を示す図
【図５Ｂ】本発明の撮像再生装置が記録または再生の対象とする記録メディアにおける内容を示す図
【図６】本発明の撮像再生装置が、記録メディア内の撮像ファイルに対し、取得した撮像位置と撮像枚数を用いて一覧表示する表示例を示す図
【発明を実施するための形態】
【００１５】
以下本発明を実施するための最良の形態について、図面を参照しながら説明する。
【００１６】
（実施例１）
図１は、本発明の実施例１における撮像再生装置のブロック図である。図１を用いて、本発明の実施例１における撮像再生装置の撮像から撮像ファイル生成までのシーケンスを説明する。図１において、受光部１０１はＣＣＤまたはＣＭＯＳ等からなり、光を受光し、それを電気信号に変換した後、データ変換部１０２に出力する。データ変換部１０２はクランプ回路、輝度信号処理回路等からなり、入力した電気信号をコンポーネント信号等のディジタル信号に変換し、画質処理部１０３に出力する。画質処理部１０３はデコーダ、エンコーダ等からなり、入力したディジタル信号をＪＰＥＧ（Ｊｏｉｎｔ Ｐｈｏｔｏｇｒａｐｈｉｃ Ｅｘｐｅｒｔｓ Ｇｒｏｕｐ）等に従って圧縮し、メモリ１０４に書き込む。
【００１７】
ＧＰＳ情報取得部１０６は受信アンテナ等からなり、撮像再生装置１が存在する緯度と経度及びその他の位置情報を取得する。このＧＰＳ情報取得部１０６は、撮像再生装置１から着脱可能な構成であってもよい。制御部１０５はＣＰＵ（Ｃｅｎｔｒａｌ Ｐｒｏｃｅｓｓｉｎｇ Ｕｎｉｔ）であり、メモリ１０４に書かれているＪＰＥＧデータならびにＧＰＳ情報取得部１０６が取得する位置情報を用いて撮像ファイルを生成し、記録メディア１０７に書き込む。記録メディア１０７は、撮像再生装置１から着脱可能な構成であってもよい。記録メディア１０７に書き込む際のファイルシステムは、Ｍｉｃｒｏｓｏｆｔが規定したＦＡＴ（Ｆｉｌｅ Ａｌｌｏｃａｔｉｏｎ Ｔａｂｌｅ）を使用する。
【００１８】
図２にＦＡＴのひとつであるＦＡＴ１６の構成を示す。ここで図２と図４を用いて、生成した撮像ファイルまたはそれらの撮像ファイルが存在するディレクトリに付ける名前の設定方法について説明する。以降、ファイルとディレクトリを総称してエントリと呼ぶ。図２において、２０１はＦＡＴ１６ファイルシステムの構成である。先頭から順に、予約領域、ＦＡＴ領域、ルートディレクトリ領域と続き、最後に各々のファイルを構成するデータそのものを置くデータ領域が続く。
【００１９】
２０２はＦＡＴ領域の構成であり、クラスタチェーンからなる。クラスタとは物理容量の大きさを示す単位であり、物理容量の先頭から順に、クラスタ０、クラスタ１、・・・、クラスタＭを割り当てることで、物理容量の位置の指定に用いる。ここでＭは物理容量の容量値に依存する値である。２０２を構成するクラスタチェーンは、ファイルを構成する連続データにおいて、あるクラスタに書かれているデータが、次にどのクラスタに書かれているデータと連続であるかを記すものである。
【００２０】
２０３はルートディレクトリ領域の構成であり、ルートディレクトリ直下に存在するエントリに対するディレクトリエントリからなる。２０４はディレクトリエントリの構成であり、名前、属性、開始クラスタ番号など、個々のエントリについての情報からなる。名前領域２０５には、エントリに付ける名前を記す。
【００２１】
図４において、４０１はエントリ名の構成である。４０２はエントリ名の先頭１文字であり、図１のＧＰＳ情報取得部１０６が取得した緯度が北緯であればＮを、南緯であればＳを表す。４０３は４０２に続く３文字であり、図１のＧＰＳ情報取得部１０６が取得した緯度を表す。緯度の最大値は９０であるため、４０３の先頭１文字は、設定時、読み出し時共に無視してもよく、または４０３を２文字にする構成でもよい。
【００２２】
４０４は４０３に続く１文字であり、図１のＧＰＳ情報取得部１０６が取得した経度が東経であればＥを、西経であればＷを表す。４０５は４０４に続く３文字であり、図１のＧＰＳ情報取得部１０６が取得した経度を表す。４０２に設定するＮまたはＳ、及び４０４に設定するＥまたはＷの文字種はこの限りではなく、北緯と南緯、及び東経と西経を区別できる文字の組み合わせであればよい。
【００２３】
また、４０１における４０２、４０３、４０４、４０５の順番はこの限りではなく、変えてもよい。またここでは、エントリ名が８文字の場合を説明したが、この限りではなく、他の文字数でもよい。図１に戻り、記録メディア１０７には、図４に示す構成である、撮像位置を示す緯度と経度が名前に挿入されたエントリが保存される。
【００２４】
次に、図１、図２、図３のＡ、図５を用いて、以上の方法で記録した記録メディア１０７が保存する撮像ファイルの一覧の表示方法を説明する。記録メディア１０７に、図５のＡに示す構成のエントリが記録されている場合を例にする。ルートディレクトリ直下に４つのディレクトリ（Ｄ１、Ｄ２、Ｄ３、Ｄ４）が存在し、ディレクトリＤ１は名前がＮ０４３Ｅ１４１で直下には１３５個の撮像ファイル（Ｆ１−１、Ｆ１−２、・・・、Ｆ１-１３５）が存在し、ディレクトリＤ２は名前がＳ０２３Ｗ０４６で直下には２０２個の撮像ファイル（Ｆ２−１、・・・、Ｆ２-２０２）が存在し、ディレクトリＤ３は名前がＳ０３３Ｅ１５１で直下には７９個の撮像ファイル（Ｆ３−１、・・・、Ｆ３−７９）が存在し、ディレクトリＤ４は名前がＮ０５０Ｅ００８で直下には１８４個の撮像ファイル（Ｆ４−１、・・・、Ｆ４−１８４）が存在する構成である。
【００２５】
また、記録メディア１０７のＦＡＴにおけるディレクトリエントリ（図２の２０２）は、ディレクトリＤ１、ディレクトリＤ２、・・・、ディレクトリＤ４の順にて構成されており、ディレクトリエントリＸがディレクトリＤ１のディレクトリエントリである場合を例にする。図１において、制御部１０５は記録メディア１０７にリードアクセスし、図２の２０１における予約領域からルートディレクトリ領域までを読み出し、内部で保持するバッファメモリに保存する。
【００２６】
次に、ルートディレクトリ領域から読み出したディレクトリエントリに対し、個々のディレクトリエントリの解析を行う（図３のＡのステップＡ１、ステップＡ２）。ディレクトリエントリＸからは、ディレクトリＤ１の名前であるＮ０４３Ｅ１４１を取得する（図３のＡのステップＡ３）。これよりディレクトリＤ１直下のファイルは、北緯４３度東経１４１度の地点で撮像したものであることがわかる（図３のＡのステップＡ４）。
【００２７】
さらにディレクトリＤ１直下のファイル数を得る場合は、ディレクトリエントリＸから、開始クラスタ番号を得る。ここで、ディレクトリを示すディレクトリエントリにおける開始クラスタ番号とは、記録メディア１０７において、ディレクトリＤ１直下のエントリ（ファイルＦ１−１、・・・、ファイルＦ１−１３５）が対応するディレクトリエントリが記録されている位置を示す値である。
【００２８】
制御部１０５は、記録メディア１０７から開始クラスタ番号に対応する位置のデータを読み出し、内部で保持するバッファメモリに保存する。その後、読み出したデータからディレクトリエントリを取得し、名前と属性を見ることで、そのディレクトリエントリが有効であるか、ファイルを示すか等を判断する。これを全てのディレクトリエントリに対して繰り返し、ディレクトリＤ１直下に存在するファイル数を計上する。以上の操作を、ディレクトリＤ２、Ｄ３、Ｄ４についても同様に施し、直下のファイルに対する撮像位置、及びファイル数を得る。
【００２９】
図５のＢに、この様にして得た撮像位置と撮像枚数との一覧を示す。最後に制御部１０５は、得た撮像位置と撮像枚数を用いて、表示部に記録メディア１０７が保存するファイルの一覧を表示する。図６にその表示例を示す。ここでは背景に、別途保持する画像データである世界地図６０１を用い、地図上の緯度と経度と、取得した撮像位置の緯度と経度とが一致する様に表示しているが、他の方法でもよい。また、地図上に表示した撮像位置６０２、６０３、６０４、６０５には、取得した撮像位置の緯度と経度そのものを表示しているが、別途保持する、都市や建造物とそれらが存在する緯度と経度との一覧表を用いて、都市名や建造物名を表示してもよい。また、撮像位置６０２、６０３、６０４、６０５において、各々その撮像位置に対応する任意の撮像ファイル一枚をデコードし、表示してもよい。
【００３０】
尚、以上は記録メディア１０７のファイルシステムがＦＡＴ１６である場合を例に説明したが、ＦＡＴ３２でも、ディレクトリエントリの保存位置が異なる他は同様の処理が可能である。また、本発明は、上記に述べた一実施形態に限定されるものではなく、本発明の要旨を逸脱しない範囲内で様々な応用が可能である。
【００３１】
以上、かかる構成によれば、撮像位置を示す緯度と経度を元に記録メディア内のエントリの名前を生成する手段と、記録メディア上に記録されている撮像ファイルを撮像位置と共に一覧表示する際にＦＡＴに記載されているエントリの名前を元に一覧表示する手段とを備えることにより、ＦＡＴ内に存在するエントリ名に撮像位置を示す緯度と経度を挿入し、撮像位置をそれらのエントリ名から取得することになり、撮像ファイルを撮像位置がわかるべく一覧表示する際にかかる時間を短縮ことができる。
【産業上の利用可能性】
【００３２】
本発明にかかる撮像再生装置は、多数の撮像ファイルが記録されている記録メディアに対しそれらの撮像ファイルの一覧表示にかかる時間を短縮することが可能になるので、記録メディアを読み出し、そのデータを表示する機器、例えばＤＳＣやディジタルテレビ、パーソナルコンピュータ等として有用である。
【符号の説明】
【００３３】
１    本発明による撮像再生装置
１０１    受光部
１０２    データ変換部  
１０３    画像処理部
１０４    メモリ
１０５    制御部
１０６    ＧＰＳ情報取得部
１０７    記録メディア
１０８    表示部
２０１    ＦＡＴ１６の構成
２０２    ＦＡＴ１６におけるＦＡＴ領域の構成（クラスタチェーン）
２０３    ＦＡＴ１６におけるルートディレクトリ領域の構成
２０４    ＦＡＴ１６におけるディレクトリエントリの構成
２０５    名前領域
２０６    撮像ファイルを形成するデータの構成
２０７    ＧＰＳタグが書かれている領域
４０１    本発明による撮像再生装置が生成するエントリ名
４０２    北緯または南緯を示す文字
４０３    緯度を示す文字
４０４    東経または西経を示す文字
４０５    経度を示す文字
６０１    地図画像
６０２    北緯４３度東経１４１度の地点で撮像されたファイル１３５枚を示すアイコン
６０３    南緯２３度西経４６度の地点で撮像されたファイル２０２枚を示すアイコン
６０４    南緯３３度東経１５１度の地点で撮像されたファイル７９枚を示すアイコン
６０５    北緯５０度東経８度の地点で撮像されたファイル１８４枚を示すアイコン
【図１】
2011259343.tif 000003
【図２】
2011259343.tif 000004
【図３Ａ】
2011259343.tif 000005
【図３Ｂ】
2011259343.tif 000006
【図４】
2011259343.tif 000007
【図５Ａ】
2011259343.tif 000008
【図５Ｂ】
2011259343.tif 000009
【図６】
2011259343.tif 000010